(57)【要約】【課題】インターネット上で入手した一次的な検索情報に対して、二次的な情報検索を施して表加工データを生成し、内容表示可能に提供することによりユーザー支援機能を増補する。【解決手段】情報加工用自動検索サーバ３が、インターネットで提供されている検索エンジンを選択しキーワード検索を実行して得られた個々のＵＲＬおよび／またはリンク先のＵＲＬについてそれぞれのコンテンツのなかの表データのみを自動抽出してファイル格納するための表データ抽出手段31と、抽出した表データの個々のセルについて二次的な情報検索を施すことにより表加工データを生成するための表データ加工手段32と、これらを実行制御する検索制御手段33と、網インターフェースを介してインターネット接続するとともに、表加工データをＷｅｂサーバに送出するための通信手段34を具備する。【選択図】      図１
2004213158.tif 000002
【特許請求の範囲】
【請求項１】
クライアントコンピュータからの設定入力に基づき、インターネット上で入手した一次的な検索情報に対して、表データのみを収集し二次的な情報検索を施して表加工データを生成するための情報加工用自動検索サーバであって、
インターネットで提供されている検索エンジンを選択しキーワード検索を実行して得られた一次検索結果の個々のＵＲＬおよび／またはリンク先のＵＲＬについてそれぞれのコンテンツのなかの表データのみを自動抽出してファイル格納するための表データ抽出手段と、
抽出した表データの個々のセルについて別途設定した要求項目に基づき、キーワードの切り出し及び同義語の置換を含む二次的な情報検索を１表ごと全表にわたり実行して必要情報を収集し、かつ、編集整理することにより表加工データを生成するための表データ加工手段と、
表データ抽出手段及び表データ加工手段における検索機能の実行制御をするための検索制御手段
を具備することを特徴とする情報加工用自動検索サーバ。
【請求項２】
クライアントコンピュータからの設定入力に基づき、インターネット上で入手した一次的な検索情報に対して、表データのみを収集し二次的な情報検索を施して表加工データを生成するための自動情報加工システムであって、
Ｗｅｂブラウザを搭載したクライアントコンピュータと、Ｗｅｂサーバと、検索サーバと、網インターフェースから構成され、
検索サーバをクライアントコンピュータとネットワークとの間に介在させ、インターネットで提供されている検索エンジンを選択しキーワード検索を実行して得られた一次検索結果の個々のＵＲＬおよび／またはリンク先のＵＲＬについてそれぞれのコンテンツのなかの表データのみを自動抽出してファイル格納するための表データ抽出手段と、
抽出した表データの個々のセルについて別途設定した要求項目に基づき、キーワードの切り出し及び同義語の置換を含む二次的な情報検索を１表ごと全表にわたり実行して必要情報を収集し、かつ、編集整理することにより表加工データを生成するための表データ加工手段と、
表データ抽出手段及び表データ加工手段における検索機能の実行制御をするための検索制御手段を具備してなり、
クライアントコンピュータへの入力操作のみにより一連の処理作業を遂行するようにしたことを特徴とする自動情報加工システム。
【請求項３】
Ｗｅｂサーバと検索サーバを一のサーバコンピュータに搭載して通信手段を共有し、クライアントコンピュータからの指令に基づき網インターフェースを介してインターネット接続するとともに、表加工データをＷｅｂサーバを経由してクライアントコンピュータに送出するようにした請求項２記載の自動情報加工システム。
【請求項４】
クライアントコンピュータからの設定入力に基づき、インターネット上で入手した一次的な検索情報に対して、表データのみを収集し二次的な情報検索を施して表加工データを生成するためにサーバコンピュータを、
インターネットで提供されている検索エンジンを選択しキーワード検索を実行して得られた一次検索結果の個々のＵＲＬおよび／またはリンク先のＵＲＬについてそれぞれのコンテンツのなかの表データのみを自動抽出してファイル格納するための表データ抽出手段と、
抽出した表データの個々のセルについて別途設定した要求項目に基づき、キーワードの切り出し及び同義語の置換を含む二次的な情報検索を１表ごと全表にわたり実行して必要情報を収集し、かつ、編集整理することにより表加工データを生成するための表データ加工手段と、
表データ抽出手段及び表データ加工手段における検索機能の実行制御をするための検索制御手段
として機能させるための自動情報加工プログラム。
【発明の詳細な説明】
【０００１】
【発明の属する技術分野】
本発明は、クライアントコンピュータからの設定入力に基づき、インターネット上で入手した一次的な検索情報に対して、表データのみを収集し二次的な情報検索を施して表加工データを生成し、クライアントコンピュータにおいて内容表示可能に提供することによりユーザー支援機能を増補するようにした情報加工用自動検索サーバ、並びに自動情報加工システム及び自動情報加工プログラムに関する。
【０００２】
【従来の技術】
現在、インターネット上から利用者が必要とするデータを収集する場合には、検索エンジンや既知のアドレスを入力し、そのアドレスを基にデータを閲覧し、利用者が必要な情報を利用者自身の手作業その他の人的作業により確認している。
【０００３】
しかし、キーワード等の検索タームによっては数千件のデータ（検索回答）が対象になることがある。
【０００４】
こうしたなかで、ブラウザを通じて既存の複数のデータベースへの質問が１度でアクセス可能な「ユーザ支援機能を備えたインターネット上のデータベース検索システム」の提案があった。（例えば、特許文献１を参照。）
【０００５】
【特許文献１】
特開平１０−２４７１９５号公報（全図、全頁）
【０００６】
また、複数の電子カタログから共通のフォーマットを用いて既存データベースを構築し、管理・検索を容易なものとする「電子カタログ自動収集システム」の提案があった。（例えば、特許文献２を参照。）
【０００７】
【特許文献２】
特開２００１−２５６２４０号公報（全図、全頁）
【０００８】
また、予め登録したＵＲＬから情報収集を行いデータベース化する「情報収集装置」の提案があった。（例えば、特許文献３を参照。）
【０００９】
【特許文献３】
特開２００１−２９０８２９号公報（全図、全頁）
【００１０】
さらに複数の検索に対してキーワードを自動入力し、そのリンク先結果をまとめて表示する「インターネット上の検索方法及び検索システム」の提案があった。（例えば、特許文献４を参照。）
【００１１】
【特許文献４】
特開２００１−３４４２４０号公報（全図、全頁）
【００１２】
【発明が解決しようとする課題】
しかしながら、検索エンジンによる情報検索の入力するキーワード等の検索タームによっては数千件のデータ（検索回答）が対象になることがある。
【００１３】
また、キーワードを絞り込むとデータが少なくなり情報の取りこぼしが多くなることもある。
【００１４】
さらに、既存データベースとは連携がとれていないため、個別に検索する必要がある。
【００１５】
したがって、インターネット上から目的とする情報について自動収集したデータ集合（検索回答集合）に基づき、さらに情報検索を実行して結果を編集整理し情報量を洗練又は富化した加工データを利用者に提供するようなツールが望まれるところである。
【００１６】
本発明はこのような事情に鑑みなされたものであって、上記課題を解消し、クライアントコンピュータからの設定入力に基づき、インターネット上で入手した一次的な検索情報に対して、表データのみを収集し二次的な情報検索を施して表加工データを生成し、クライアントコンピュータにおいて内容表示可能に提供することによりユーザー支援機能を増補するようにした情報加工用自動検索サーバ、並びに自動情報加工システム及び自動情報加工プログラムを提供するものである。
【００１７】
【課題を解決するための手段】
課題を解決するために本発明は、情報加工用自動検索サーバであって、
クライアントコンピュータからの設定入力に基づき、インターネットで提供されている検索エンジンを選択しキーワード検索を実行して得られた一次検索結果の個々のＵＲＬおよび／またはリンク先のＵＲＬについてそれぞれのコンテンツのなかの表データのみを自動抽出してファイル格納するための表データ抽出手段と、
抽出した表データの個々のセルについて別途設定した要求項目に基づき、キーワードの切り出し及び同義語の置換を含む二次的な情報検索を１表ごと全表にわたり実行して必要情報を収集し、かつ、編集整理することにより情報量を洗練又は富化した表加工データを生成するための表データ加工手段と、
表データ抽出手段及び表データ加工手段における検索機能の実行制御をするための検索制御手段
を具備することを特徴とするものである。
【００１８】
また、自動情報加工システムであって、
Ｗｅｂブラウザを搭載したクライアントコンピュータと、Ｗｅｂサーバと、検索サーバと、網インターフェースから構成され、
検索サーバをクライアントコンピュータとネットワークとの間に介在させ、インターネットで提供されている検索エンジンを選択しキーワード検索を実行して得られた一次検索結果の個々のＵＲＬおよび／またはリンク先のＵＲＬについてそれぞれのコンテンツのなかの表データのみを自動抽出してファイル格納するための表データ抽出手段と、
抽出した表データの個々のセルについて別途設定した要求項目に基づき、キーワードの切り出し及び同義語の置換を含む二次的な情報検索を１表ごと全表にわたり実行して必要情報を収集し、かつ、編集整理することにより表加工データを生成するための表データ加工手段と、
表データ抽出手段及び表データ加工手段における検索機能の実行制御をするための検索制御手段を具備してなり、
クライアントコンピュータへの入力操作のみにより一連の処理作業を遂行するようにしたことを特徴とするものである。
【００１９】
ここで、クライアントコンピュータからの設定入力に基づきＷｅｂサーバとの間で送受信し網インターフェースを介してインターネット接続するとともに、表加工データをＷｅｂサーバに送出するための通信手段を有する。この場合、Ｗｅｂサーバと検索サーバを一のサーバコンピュータに搭載して通信手段を共有し、クライアントコンピュータからの指令に基づき網インターフェースを介してインターネット接続するとともに、表加工データをＷｅｂサーバを経由してクライアントコンピュータに送出するようにしてもよい。
【００２０】
さらに、クライアントコンピュータからの設定入力に基づき、インターネット上で入手した一次的な検索情報に対して、表データのみを収集し二次的な情報検索を施して表加工データを生成するためにサーバコンピュータを、上記表データ抽出手段と、上記表データ加工手段と、上記検索制御手段、及び上記通信手段として機能させるための自動情報加工プログラムである。
【００２１】
【発明の実施の形態】
本発明の実施の形態を添付図面を参照して以下説明する。
【００２２】
図１は、請求項１記載の情報加工用自動検索サーバ３の実施形態ブロック図である。ここで、図中のブロック表示は機能実現手段を示している。なお、図中の検索制御手段33は表データ抽出手段31及び表データ加工手段32における検索機能の実行制御をする。
【００２３】
図２は、この検索サーバ３を包含する自動情報加工システムＸの実施形態ブロック図である。ここで、図中のブロック表示は機器的に見た構成要素を示している。したがって、検索サーバ３は、機器的には少なくとも情報加工部31と、情報整理部32と、検索制御部33と、通信部34から構成され、図１に示した機能として表データ抽出手段(31)、表データ加工手段(32)、検索制御手段(33)、及び通信手段(34)を構成しているものと理解されたい。
【００２４】
図２に示すように、自動情報加工システムＸは、クライアント／サーバ（Ｃ／Ｓ）システムであって、Ｗｅｂブラウザを搭載したクライアントコンピュータ１と、Ｗｅｂサーバ２と、検索サーバ３と、網インターフェース〔図示省略〕から構成されている。
【００２５】
なお、図中の既存データベース５は検索サーバ３に配置したリレーショナルデータベースであり、独自に収集し蓄積したデータ、又は本発明でその都度の生成した加工データを保存するものであってよい。
【００２６】
図３は、本発明システムにおける構成機器間の処理の流れを示すフロー図であり、図４は、検索サーバにおける処理手順のフローチャートである。
【００２７】
各図から把握されるように、本発明システムＸの主体は検索サーバ３及びこの検索サーバの行動計画を示すものとしての自動情報加工プログラムである。
【００２８】
その特徴的構成は、１つは表データ抽出手段31であって、ネット提供されている検索エンジンを選択し情報検索を実行して得られた一次検索結果の個々のＵＲＬおよび／またはリンク先のＵＲＬについてそれぞれのコンテンツのなかの表データのみを自動抽出してファイル格納するための機能実現手段である。
【００２９】
２つには、表データ加工手段32であって、抽出した表データの個々のセルについて別途設定した要求事項に基づき、キーワードの切り出し及び同義語の置換を含む二次的な情報検索を１表ごと全表にわたり実行して必要情報を収集し、かつ、編集整理することにより表加工データを生成するための機能実現手段である。
【００３０】
そして、網インターフェース〔図示省略〕を介してインターネット接続するとともに、加工データをＷｅｂサーバ２に送出するための通信手段34を有して、クライアントコンピュータ１からの設定要求に基づき、インターネット上で入手した一次的な検索情報に対して、表データのみを収集し二次的な情報検索を施して表加工データを生成し、Ｗｅｂサーバ２を介してクライアントコンピュータ１のＷｅｂブラウザにより内容表示可能に提供する。
【００３１】
【実施例】
本発明の一実施例について、情報加工の対象テーマを「デジタルカメラ」として実行した場合を操作手順とともに以下説明する。
【００３２】
図５にクライアントコンピュータ（利用者端末）１の入力画面14の概要を示すように、入力画面14のキーワード入力欄17に「デジタルカメラ」を入力し、設定項目入力欄15に要求項目である「画素数を１０２４，ＩＳＯを１００」を入力する。
【００３３】
ここで、要求項目の設定入力のしかたについては、以上、以下、等しいといった条件設定をおこなってもよい。また、別に設定してある同義語ファイル、例えば「画素数」と「ピクセル」を同義語として設定し、置換処理する。〔図示省略〕
【００３４】
検索ボタン16をクリックして実行指示を出すと、この入力条件に基づき検索エンジンに対してキーワード入力「デジタルカメラ」を行い、検索回答としてアドレス（ＵＲＬ）を得る。
【００３５】
そして、収集したアドレスの一つひとつにジャンプし、当該アドレスのコンテンツのなかの表データを抽出するとともに、当該表ページに記載されているリンク先があると、設定した階層数に従って次つぎに抽出していき、表ごとに区切り１つのファイルに逐次格納する。
【００３６】
全てのアドレス（及びページ）を検索し終えて、格納ファイルから１表づつ開き、表欄の各セルのキーワードを切り出し、同義語を置換していき、各行ごとに設定項目と一致するかを比較し、一致したデータのみを表加工データとして編集整理（蓄積）していく。
【００３７】
全てのセル及び全ての表について同様の処理をおこない、処理結果をＷｅｂサーバを介してクライアントコンピュータに返し、図６に出力画面18の概要を示すように検索結果表示欄19に表示出力する。
【００３８】
以上の情報収集から加工整理までの一連の処理作業がクライアントコンピュータへの入力操作のみにより自動的に遂行できるので、利用者の作業負担が軽減し効率化が図れる。
【図面の簡単な説明】
【図１】情報加工用自動検索サーバの実施形態ブロック図である。
【図２】自動情報加工システムの実施形態ブロック図である。
【図３】自動情報加工システムにおける構成機器間の処理の流れを示すフロー図である。
【図４】検索サーバにおける処理手順ののフローチャートである。
【図５】クライアントコンピュータの入力画面の概要を示す説明図である。
【図６】クライアントコンピュータの出力画面の概要を示す説明図である。
【符号の説明】
１  クライアントコンピュータ（利用者端末）
11  入出力部
12  通信部
14  入力画面
15  設定項目入力欄
16  検索ボタン
17  キーワード入力欄
18  出力画面
19  検索結果表示欄
２  Ｗｅｂサーバ
21  データ加工部
22  通信部
３  検索サーバ
31  情報加工部〔表データ抽出手段〕
32  情報整理部〔表データ加工手段〕
33  検索制御部〔検索制御手段〕
34  通信部〔通信手段〕
４  インターネット（通信網）
５  既存データベース
Ｘ  自動情報加工システム
【図１】
2004213158.tif 000003
【図２】
2004213158.tif 000004
【図３】
2004213158.tif 000005
【図４】
2004213158.tif 000006
【図５】
2004213158.tif 000007
【図６】
2004213158.tif 000008